(57)【特許請求の範囲】
【請求項１】
枠体と、
前記枠体内において見付け方向にスライド自在に支持された面材と、
前記面材のスライド方向と平行に引き出し可能に巻き取られるスクリーン、および、前記スクリーンの引き出し方向の先端縁に設けられた可動桟を有し、前記枠体に取り付けられるスクリーン装置と、
前記面材と前記スクリーンとを連動させるための連動機構とを備える建具であって、
前記面材は、パネルと、前記パネルを囲む框とを備え、
前記可動桟および前記面材のうち一方の構成要素には、被係合部が設けられ、
前記連動機構は、
前記一方の構成要素に設けられた複数の可動連動部材と、
前記可動桟および前記面材のうち他方の構成要素における前記複数の可動連動部材とそれぞれ対向可能な位置に固定された前記可動連動部材と同数の固定連動部材と、
前記一方の構成要素に設けられた操作部材と、
前記可動桟および前記面材の前記框のうち一方の構成要素の内部において長手方向にスライド自在に設けられ、かつ、前記複数の可動連動部材が固定されており、前記操作部材の操作に応じて、前記複数の可動連動部材が前記複数の固定連動部材にそれぞれ接触して前記面材と前記スクリーンとを連動可能にする連動位置と、前記複数の固定連動部材にそれぞれ接触せずに前記面材と前記スクリーンとを連動不可能にする非連動位置との間で、前記複数の可動連動部材を移動させる連動レールと、
前記連動レールから突出することで前記被係合部に係合可能に構成され、前記係合により前記連動レールのスライドを規制して前記複数の可動連動部材を前記連動位置または前記非連動位置に位置決めし、前記係合が解除されることで前記連動レールのスライドを可能とするスライド規制部と、
前記操作部材の操作に応じて、前記スライド規制部を前記被係合部に係合する位置と係合しない位置との間で移動させるスライド規制制御部とを備える建具。
【請求項２】
前記操作部材は、前記一方の構成要素における前記面材または前記スクリーンを挟んで両側にそれぞれ配置される請求項１に記載の建具。
【請求項３】
前記可動連動部材および前記固定連動部材のうち一方の部材における前記スライド方向の一方側には、前記面材と前記スクリーンとの連動時に他方の部材と接触する接触部が設けられ、他方側には、前記一方側に傾斜して前記他方の部材が摺動可能な傾斜面部が設けられている請求項１または請求項２に記載の建具。
【発明の詳細な説明】
【技術分野】
【０００１】
本発明は、建具に関する。
【背景技術】
【０００２】
従来、各種窓などの建具において、左右または上下に開閉自在でかつ防虫ネットなどのスクリーンが巻き取り可能なスクリーン装置が知られている（例えば、特許文献１参照）。
この特許文献１に記載のスクリーン装置としての収納網戸は、サッシ枠に固定された左右一対の網体巻き取り装置と、網体巻き取り装置の上部間および下部間をそれぞれ連結する上下一対のガードレールと、一対のガイドレールに沿って摺動する左右一対の可動桟と、各可動桟に連結されるとともに各網体巻き取り装置で巻き取られる左右一対の網体とを備えている。
【０００３】
可動桟の縦材における長手方向中間部には、網戸開閉操作部材が取り付けられている。この網戸開閉操作部材は、可動桟に固定された固定部材と、固定部材に対して上下に移動自在に設けられた可動部材とを備えている。また、サッシ枠に移動自在に装着された外障子には、連結突起が固着されている。
そして、可動部材が固定部材に対して下方の第２位置のときには、可動部材が連結突起の下部よりも下方に位置するため、外障子が面内方向に移動しても連結突起が可動部材と干渉しない。一方で、可動部材が固定部材に対して上方の第１位置のときには、可動部材の上端部が連結突起の下端部分と略同一高さとなり、外障子が面内方向に移動すると連結突起が可動部材と干渉し（面接触し）、可動桟が外障子と連動して移動する。
【先行技術文献】
【特許文献】
【０００４】
【特許文献１】特許第３６２２０７７号公報
【発明の概要】
【発明が解決しようとする課題】
【０００５】
しかしながら、特許文献１に記載のような構成では、網戸開閉操作部材および連結突起が上下方向略中央の１箇所のみに設けられている。このため、可動桟が外障子と連動して移動するときに、可動桟の例えば上端側が下端側よりも移動方向の前方側に位置するように傾いてしまい、可動桟をスムーズに移動させることができないおそれがある。
このような不具合を解消するために、一対の網戸開閉操作部材および連結突起を上下に複数設けることが考えられるが、複数の網戸開閉操作部材を操作する作業が煩わしい。
【０００６】
本発明の目的は、簡単な操作で面材とスクリーンとを適切に連動させることが可能な建具を提供することにある。
【課題を解決するための手段】
【０００７】
本発明の建具は、枠体と、前記枠体内において見付け方向にスライド自在に支持された面材と、前記面材のスライド方向と平行に引き出し可能に巻き取られるスクリーン、および、前記スクリーンの引き出し方向の先端縁に設けられた可動桟を有し、前記枠体に取り付けられるスクリーン装置と、前記面材と前記スクリーンとを連動させるための連動機構とを備える建具であって、前記面材は、パネルと、前記パネルを囲む框とを備え、前記可動桟および前記面材のうち一方の構成要素には、被係合部が設けられ、前記連動機構は、前記一方の構成要素に設けられた複数の可動連動部材と、前記可動桟および前記面材のうち他方の構成要素における前記複数の可動連動部材とそれぞれ対向可能な位置に固定された前記可動連動部材と同数の固定連動部材と、前記一方の構成要素に設けられた操作部材と、前記可動桟および前記面材の前記框のうち一方の構成要素の内部において長手方向にスライド自在に設けられ、かつ、前記複数の可動連動部材が固定されており、前記操作部材の操作に応じて、前記複数の可動連動部材が前記複数の固定連動部材にそれぞれ接触して前記面材と前記スクリーンとを連動可能にする連動位置と、前記複数の固定連動部材にそれぞれ接触せずに前記面材と前記スクリーンとを連動不可能にする非連動位置との間で、前記複数の可動連動部材を移動させる連動レールと、前記連動レールから突出することで前記被係合部に係合可能に構成され、前記係合により前記連動レールのスライドを規制して前記複数の可動連動部材を前記連動位置または前記非連動位置に位置決めし、前記係合が解除されることで前記連動レールのスライドを可能とするスライド規制部と、前記操作部材の操作に応じて、前記スライド規制部を前記被係合部に係合する位置と係合しない位置との間で移動させるスライド規制制御部とを備えることを特徴とする。
【０００８】
ここで、スクリーンとしては、防虫、遮光、断熱、目隠しなどの機能を有する網材、布材などが例示できる。また、スクリーンの引き出し方向としては、上下または左右のいずれの方向であってもよい。さらに、スクリーン装置としては、窓、玄関、ショーケースの屋内側や屋外側に配置可能なものであってもよい。また、面材としては、上框、下框および左右の縦框で構成された框組みの内部に、単層や複層のガラスや樹脂パネル、合わせガラス、網入りガラスなどのパネルを嵌め込んだものであってもよい。
本発明によれば、操作部材を操作するだけで、可動桟および面材のうち一方の構成要素に設けられた複数の可動連動部材を、他方の構成要素に固定された複数の固定連動部材に接触する連動位置と、接触しない非連動位置とに移動させることができる。このため、可動連動部材を連動位置に移動させた後に、面材および可動桟のうち一方をスライドさせることで、可動連動部材と固定連動部材とが接触して、一方に連動して他方をスライドさせることができる。
したがって、操作部材を操作するだけの簡単な方法で、面材とスクリーンとを連動させることができる。また、それぞれ複数ずつの可動連動部材と固定連動部材とを設けたので、面材と可動桟とが連動してスライドするときに、例えば可動桟の複数箇所が固定連動部材によってほぼ同じ力で押されることとなり、可動桟が傾いてしまうことを抑制できる。
【０００９】
また、本発明によれば、連動レールをスライドさせるだけの簡単な構成で、可動連動部材を連動位置と非連動位置との間で移動させることができる。
【００１０】
さらに、本発明によれば、操作部材の操作に応じて、スライド規制部を被係合部に係合させることで、可動連動部材を連動位置または非連動位置に位置決めすることができる。したがって、例えば、連動レールの自重により、可動連動部材が連動位置または非連動位置から動いてしまうことを防止できる。
【００１１】
本発明の建具では、前記操作部材は、前記一方の構成要素における前記面材または前記スクリーンを挟んで両側にそれぞれ配置されることが好ましい。
本発明によれば、面材またはスクリーンを挟んだ両側から、面材とスクリーンとを連動させる操作を行うことができ、建具の利便性を向上できる。
【００１２】
本発明の建具では、前記可動連動部材および前記固定連動部材のうち一方の部材における前記スライド方向の一方側には、前記面材と前記スクリーンとの連動時に他方の部材と接触する接触部が設けられ、他方側には、前記一方側に傾斜して前記他方の部材が摺動可能な傾斜面部が設けられていることが好ましい。
【００１３】
本発明によれば、例えば傾斜面部を可動連動部材に設けた場合において、固定連動部材が可動連動部材に対して面材のスライド方向の他方側（傾斜面部が設けられた側）に位置し、かつ、可動連動部材が連動位置にあるときに、間違って面材を一方側に（固定連動部材が傾斜面部に近づくように）スライドさせても、固定連動部材が可動連動部材の傾斜面部に接触して摺動するため、この接触時の衝撃を緩和できる。したがって、固定連動部材や可動連動部材の破損あるいは落下を抑制できる。
さらに、可動桟が見込み方向に若干ずれたり撓むことができるように設けられていれば、可動連動部材を非連動位置に戻すことなく、固定連動部材を傾斜面部に摺動させつつ可動桟をずらしたり撓ませたりすることで、可動連動部材の一方側に移動させることができ、この移動させた状態から面材をスライドさせることでスクリーンを連動させることができる。
【図面の簡単な説明】
【００１４】
【図１】本発明の一実施形態に係る建具を示す縦断面図である。
【図２】前記建具の横断面図であり、外側障子およびロール網戸が閉じた状態を示す。
【図３】前記建具の分解斜視図である。
【図４】前記建具の可動桟および連動機構の分解斜視図である。
【図５】前記連動機構を拡大して示す横断面図である。
【図６】前記可動桟および連動機構を拡大して示す縦断面図である。
【図７】前記連動機構の連動錠の斜視図である。
【図８】前記連動機構の組み立て方法を示す縦断面図である。
【図９】前記組み立て方法を示す縦断面図であり、図８に続く状態を示す。
【図１０】前記組み立て方法を示す縦断面図であり、図９に続く状態を示す。
【図１１】前記開閉操作方法を示す縦断面図であり、前記連動機構の可動連動部材が非連動位置にある状態を示す。
【図１２】前記開閉操作方法を示す縦断面図であり、図１１に続く状態を示す。
【図１３】前記開閉操作方法を示す縦断面図であり、図１２に続く状態を示す。
【図１４】前記開閉操作方法を示す縦断面図であり、前記可動連動部材が連動位置にある状態を示す。
【図１５】前記外側障子および前記ロール網戸が開いた状態から外側障子を閉じて固定連動部材と可動連動部材とを係合させる状態を示す模式図である。
【発明を実施するための形態】
【００１５】
以下、本発明の一実施形態を図面に基づいて説明する。
まず、建具としての引違い窓１の全体構成について説明する。なお、以下において、「右」、「左」などといった方向や位置を示す用語は、室外から見た方向を基準とする。
【００１６】
図１および図２に示すように、引違い窓１は、建物の外壁開口部に固定される枠体である窓枠２と、この窓枠２に開閉自在に支持される内側障子３および面材としての外側障子４と、窓枠２の屋外の見付け面に取り付けられたスクリーン装置としてのロール網戸５とを備えて構成されている。
窓枠２は、上枠２１、下枠２２および左右の縦枠２３、縦枠２４を備えている。
【００１７】
上枠２１は、下方が開口した断面コ字状に形成され、内側障子３の上端をスライド自在に保持する障子上ガイド部２５１を備えている。また、上枠２１は、障子上ガイド部２５１の上端から室外に延びる延出部２１１と、この延出部２１１の先端から上下に延びる上見付け面部２１２とを備えている。さらに、延出部２１１の見込み方向略中央には、下方に延びる障子上レール２６１が設けられている。
【００１８】
下枠２２は、室内から室外に向かって下方に近づくように傾斜する下枠傾斜面部２２１と、下枠傾斜面部２２１の見込み方向略中央から上方に延びる障子下レール２５２と、障子下レール２５２よりも室外側から上方に延びる障子下レール２６２と、下枠傾斜面部２２１の先端から下方に延びる立下部２２２と、立下部２２２の上下方向略中央から室外に延びる室外底面部２２３と、室外底面部２２３の先端から上方に延びる下見付け面部２２４とを備えている。
また、図１に示すように、窓枠２は、躯体カバーＧに固定されている。この躯体カバーＧと窓枠２の立下部２２２と室外底面部２２３とで囲まれる領域には、シール材Ｓが充填されている。
【００１９】
ロール網戸５は、図１〜図３に示すように、巻き取り軸５０と、この巻き取り軸５０に引き出し可能に巻き取られるスクリーンとしてのネット５１と、外側障子４とネット５１とを連動して開閉させるための連動機構６０と、ネット５１によって開閉されるスクリーン枠７０と、スクリーン枠７０を窓枠２に固定するアタッチメント９０とを備えている。
【００２０】
ネット５１は、両面テープ５１０を介して巻き取り軸５０に固定されたネット本体５２と、このネット本体５２における開閉方向に沿った端縁（ネット本体５２における引き出し方向と平行な端縁）である上下端縁に設けられるファスナーテープ５３と、ネット本体５２における閉鎖方向側の側端縁に設けられる可動桟５４とを有して構成されている。
【００２１】
可動桟５４は、図３〜図６にも示すように、四角筒状の可動桟本体５４１を備えている。この可動桟本体５４１の右側面には、インナーレール保持部５４２が設けられている。このインナーレール保持部５４２は、ネット本体５２の戸先側の端縁に設けられた可動桟インナーレール５４３を保持する。
また、可動桟５４の室外側の側面および室内側の側面には、それぞれ被係合部としての室外中間孔５４４および室内中間孔５４５が設けられている。この室外中間孔５４４および室内中間孔５４５は、上下方向略中央に設けられ、上下に延びる長方形状に形成されている。また、室内中間孔５４５の上方および下方には、それぞれ上下に延びる室内端側孔５４６が設けられている。
さらに、可動桟本体５４１の室内側の面には、外側障子４に摺接するモヘア５４７が設けられている。また、可動桟本体５４１の上端および下端には、それぞれ上摺動片５４８および下摺動片５４９が設けられている。上摺動片５４８および下摺動片５４９は、上レール枠８２および下レール枠８４によりそれぞれ左右にスライド自在にガイドされるが、室外側および室内側（見込み方向）に若干ずれることができるようになっている。
【００２２】
連動機構６０は、可動桟本体５４１内において昇降可能に収容される可動連動部材移動手段としての連動レール６１と、この連動レール６１を操作するためのつまみ部６２と、連動レール６１に同期して昇降する可動連動部材６３と、外側障子４に設けられて可動連動部材６３に係合する固定連動部材６４と、連動レール６１の下降を規制する連動錠６５とを備えている。
【００２３】
連動レール６１は、例えば金属により形成され、上下に延びる長方形板状のレール本体６１１と、このレール本体６１１の室外側端縁から右方に延びる室外面部６１２と、レール本体６１１の室内側端縁から室外面部６１２と平行に延びる室内面部６１３とによって断面略コ字状に形成されている。
室外面部６１２および室内面部６１３における上下方向略中央には、連動錠６５を収容するための錠収容凹部６１４がそれぞれ設けられている。また、室外面部６１２における錠収容凹部６１４の上方には、上下に延びる室外側つまみ用孔６１５が設けられている。また、室内面部６１３における錠収容凹部６１４の上方には、上下に延びる室内側つまみ用孔６１６が設けられている。室内側つまみ用孔６１６は、下端の位置が室外側つまみ用孔６１５の下端と同じ高さに位置し、上端の位置が室外側つまみ用孔６１５の上端よりも下方に位置するように設けられている。また、室内面部６１３の上端側および下端側には、雌ねじ部６１７が設けられている。
【００２４】
つまみ部６２は、図４および図６に詳細に示すように、室外側に設けられる長方形板状の操作部材としての室外側つまみ６２１と、室内側に設けられて室外側つまみ６２１と同じ形状の操作部材としての室内側つまみ６２２とを備えている。
室外側つまみ６２１の室内側面の上下方向略中央には、室内側に向けて突出する棒状部６２３が設けられている。棒状部６２３の内部には、係合凹部６２４が設けられている。さらに、棒状部６２３には、下方に向けて略台形板状に延びるスライド規制制御部としての錠操作部６２５が設けられている。錠操作部６２５における室内側の側面は、上端から下端に向かって室外に近づくように傾斜するつまみ側操作傾斜部６２６となっている。
室内側つまみ６２２の室外側面の上下方向略中央には、室外側に向けて突出する係合突部６２７が設けられている。
そして、室外中間孔５４４および室外側つまみ用孔６１５に挿通された棒状部６２３の係合凹部６２４と、室内中間孔５４５および室内側つまみ用孔６１６に挿通された係合突部６２７とが係合することで、室外側つまみ６２１と室内側つまみ６２２とは、可動桟５４に対して摺動可能に連結される。
【００２５】
可動連動部材６３は、図４および図５に詳細に示すように、樹脂や金属により略ブロック状に形成されている。この可動連動部材６３は、可動桟５４の上側および下側にそれぞれ設けられている。具体的には、可動連動部材６３は、可動桟５４の室内端側孔５４６を貫通して連動レール６１の雌ねじ部６１７に螺合するビス６３０によって連動レール６１に固定され、連動レール６１に連動して昇降する。
また、可動連動部材６３は、上下に延びる略長方形ブロック状の可動連動本体６３１と、可動連動本体６３１の右側面における室内側から右方に延びる接触部としての可動係合片６３２とを備えている。可動係合片６３２の延出先端は、曲面状に形成されている。
さらに、可動連動部材６３の室内側の面は、可動係合片６３２の延出先端から可動連動本体６３１の左右方向略中央までの部分であり外側障子４の室外面と略平行な平行面部６３３と、平行面部６３３よりも左側の部分であり右から左に向かって室外に近づくように傾斜する（外側障子４から離れるように傾斜する）傾斜面部としての可動傾斜面部６３４とから構成されている。
また、可動連動部材６３の室外側の面の略中央には、室外に突出する位置決め突部６３５が設けられている。ビス６３０は、この位置決め突部６３５の室外側の面から突出して、雌ねじ部６１７に螺合される。
【００２６】
固定連動部材６４は、可動連動部材６３と同様の材料により略ブロック状に形成され、外側障子４を構成するパネル４０の右側の縦框４１に螺合するビス６４０（図３参照）によって外側障子４の上側および下側にそれぞれ固定されている。
また、固定連動部材６４は、上下に延びる略長方形ブロック状の固定連動本体６４１と、固定連動本体６４１の左側面における室内側から左方に延びる接触部としての固定係合片６４２とを備えている。固定係合片６４２の延出先端は、曲面状に形成されている。
さらに、固定連動部材６４の室内側の面は、固定係合片６４２の延出先端から固定連動本体６４１の左右方向略中央までの部分であり外側障子４の室外面と略平行な平行面部６４３と、平行面部６４３よりも右側の部分であり左から右に向かって室内に近づくように傾斜する傾斜面部としての固定傾斜面部６４４とから構成されている。
【００２７】
そして、固定連動部材６４は、つまみ部６２の操作により連動レール６１が下限位置まで下降したときに、外側障子４のスライドに伴う固定連動部材６４の移動軌跡上の連動位置に可動連動部材６３が位置し、連動レール６１が上限位置まで上昇したときに、固定連動部材６４の移動軌跡から外れた非連動位置に可動連動部材６３が位置するように固定されている。
このような構成により、可動連動部材６３が連動位置に位置している状態で外側障子４が操作されて開かれると、固定係合片６４２と可動係合片６３２とが係合して、外側障子４に連動してロール網戸５が開かれる。また、可動係合片６３２と固定係合片６４２とが係合している状態でロール網戸５が操作されて閉じられると、ロール網戸５に連動して外側障子４が閉じられる。
【００２８】
すなわち、可動連動部材６３を基準として考えた場合、可動連動部材６３における外側障子４のスライド方向の一方側（右側）には、固定連動部材６４における外側障子４のスライド方向の他方側（左側）の固定係合片６４２に係合する可動係合片６３２が設けられている。また、可動連動部材６３における前記他方側（左側）には、前記一方側（右側）に傾斜する可動傾斜面部６３４が設けられている。
一方、固定連動部材６４を基準として考えた場合には、固定連動部材６４における外側障子４のスライド方向の一方側（左側）には、可動連動部材６３における外側障子４のスライド方向の他方側（右側）の可動係合片６３２に係合する固定係合片６４２が設けられている。また、固定連動部材６４における前記他方側（右側）には、前記一方側（左側）に傾斜する固定傾斜面部６４４が設けられている。
【００２９】
連動錠６５は、図６および図７に詳細に示すように、略長方形箱状の錠ケース６６と、この錠ケース６６内に設けられたスライド規制部としての錠本体６８とを備えている。
錠ケース６６は、長方形板状の下面部６６１と、下面部６６１の短手方向の両側縁に立設する左右の見込み面部６６２と、下面部６６１の長手方向の一側縁に立設する室内面部６６３と、左右の見込み面部６６２における室外側の上端同士を連結する連結部６６４とによって、上面および室外側の面が開口する形状に形成されている。
下面部６６１における室内側および室外側の見込み方向略中央には、錠収容凹部６１４の位置決め凹部６１８に係合して、当該錠ケース６６の見付け方向への移動を規制する第１位置決め突部６６５が設けられている。下面部６６１には、錠ケース６６内部と外部とを連通する連通孔６６６が設けられている。
また、下面部６６１の下面および左右の見込み面部６６２の上面には、室外面部６１２に当接して、当該錠ケース６６の室内側への移動を規制する第２位置決め突部６６７が突出している。
さらに、左右の見込み面部６６２の上端には、互いに近づく方向に突出するケース上面突部６６８が設けられている。このケース上面突部６６８は、見込み方向略中央から室内面部６６３にかけて設けられている。
また、室内面部６６３の室内側の面には、室外に向けて突出するばね用突部６６９が設けられている。
【００３０】
錠本体６８は、略長方形板状の下面部６８１と、下面部６８１の短手方向の両側縁に立設する左右の見込み面部６８２と、下面部６８１の長手方向の一側縁に立設する室外面部６８３と、当該長手方向の他側縁に立設する室内面部６８４とによって、上面が開口する形状に形成されている。
下面部６８１における室外面部６８３側には、錠本体６８内部と外部とを連通する連通孔６８５が設けられている。
左右の見込み面部６８２には、下方に切り欠かれた切欠き部６８６が設けられている。また、左右の見込み面部６８２には、切欠き部６８６の室内側の端部の上端から室外に向けて水平に延びる略棒状の弾性変形部６８７が設けられている。
この弾性変形部６８７の先端には、飛び出し防止部６８８が設けられている。この飛び出し防止部６８８は、当該飛び出し防止部６８８の上端が室外面部６８３および室内面部６８４の上面よりも上方に位置するように形成されている。また、飛び出し防止部６８８の上面は、室外から室内に向かって下方に近づくように傾斜する摺接傾斜面部６８９を構成している。
また、室内面部６８４の室外側の面における見付け方向両端には、上端から下端に向かって室外に近づくように傾斜する錠側操作傾斜部６９０が設けられている。さらに、室外面部６８３の室内側の面には、室内に向けて突出するばね用突部６９１が設けられている。
【００３１】
このような構成により、錠付勢ばね６５０の復元力により錠本体６８が室外側に付勢されても、飛び出し防止部６８８の室外側の面と連結部６６４の室内側の面との当接によって、錠本体６８の室外側への移動が規制され、錠本体６８が錠ケース６６から飛び出すことを防止できる。また、飛び出し防止部６８８の室外側の面と連結部６６４の室内側の面とが当接している状態では、ばね用突部６６９とばね用突部６９１とが離れているため、錠本体６８が錠ケース６６の室外側端部から突出しないようになるまで、錠本体６８を錠ケース６６内に押し込むことができる。
【００３２】
スクリーン枠７０は、図１〜図３に示すように、室外から見たときに窓枠２の右端側に位置するように固定される収容ケース７１と、この収容ケース７１の上端から左方に延びる上レール枠８２と、収容ケース７１の下端から左方に延びる下レール枠８４とを備え、室外側から見たときに左方が開口する略コ字状となるように構成されている。
【００３３】
収容ケース７１は、略四角筒状の収容体７２と、この収容体７２の上端を塞ぐケースキャップ７４と、収容体７２の下端を塞ぐラチェット７６とを備えている。
収容体７２は、窓枠２に対向する室内面部７２１およびこの室内面部７２１の右端から室外側に延びる右面部７２２を有する略Ｌ字板状のケース本体７２０と、室内面部７２１に対向する室外面部７３１およびこの室外面部７３１の左端から室内側に延びる左面部７３２を有する略Ｌ字板状のケースカバー７３０とを備えている。そして、ケース本体７２０は、両面テープ７２７を介して縦枠２４に固定されている。
室外面部７３１の右端には、回転軸片７２６を覆うように嵌合する断面略Ｃ字状の嵌合凹部７３３が設けられている。このような構成により、ケースカバー７３０をケース本体７２０に対して室外側に開閉することが可能となっている。
ラチェット７６は、巻き取り軸５０の下端を回転可能に支持する下軸受部７６４と、巻き取り軸５０の巻き取り速度を調節するための巻き取り速度調節部７６５とが設けられている。
そして、ケースキャップ７４およびラチェット７６は、ビス７４５がおよびビス７７５がケース本体７２０に螺合されることで、ケース本体７２０に固定される。さらに、ケースカバー７３０は、閉じられた状態において、当該ケースカバー７３０に挿通したビス７３５をラチェット７６に螺合することで、開くことができない状態を維持できるようになっている。
【００３４】
また、収容ケース７１の室内側の面における上端側には、上部固定金具７９が取り付けられている。さらに、収容ケース７１の室内側の面における下端側には、ビス８０６によって下部固定金具８０が取り付けられている。
上レール枠８２内および下レール枠８４内には、上ガイドレール８２３および下ガイドレール８４３がそれぞれ設けられている。この上ガイドレール８２３および下ガイドレール８４３は、ネット５１の上下のファスナーテープ５３を左右にスライド案内する。
【００３５】
アタッチメント９０は、スクリーン枠７０の上端側を窓枠２の上枠２１の見付け面に固定するための上枠アタッチメント９１と、スクリーン枠７０の下端側を窓枠２の下枠２２の見付け面に固定するための下枠アタッチメント９３とを備えている。
そして、上枠アタッチメント９１は、下側から挿通されて上枠２１に螺合されるビス９１８によって、上枠２１に固定される。また、下枠アタッチメント９３は、室外側から挿通されて下枠２２に螺合される下枠アタッチメント固定用ビス９３７によって、下枠２２に固定される。
スクリーン枠７０の収容ケース７１は、室内側から上枠アタッチメント９１に挿通されて上部固定金具７９に螺合される上スクリーン枠固定用ビス９１９と、上方から下部固定金具８０に挿通されて下枠アタッチメント９３に螺合される下スクリーン枠固定用ビス９３８とによって、上枠アタッチメント９１および下枠アタッチメント９３に固定される。
また、スクリーン枠７０の上レール枠８２は、室内側から上枠アタッチメント９１に挿通されて螺合される上スクリーン枠固定用ビス９１９によって、上枠アタッチメント９１に固定される。
さらに、スクリーン枠７０の下レール枠８４は、上方から螺合される下スクリーン枠固定用ビス９３８によって、下枠アタッチメント９３に固定される。
【００３６】
次に、連動機構６０の組み立て方法について説明する。
まず、作業者は、連動レール６１の錠収容凹部６１４内に連動錠６５を収容し、図８に示すように、室外側つまみ用孔６１５が室外中間孔５４４内に位置するまで連動レール６１を可動桟５４内に挿入する。
この後、棒状部６２３を室外中間孔５４４および室外側つまみ用孔６１５に挿入して、室外側つまみ６２１を可動桟５４の側面に密着させながら下方に移動させ、図９に示すように、錠操作部６２５を錠本体６８内に挿入してつまみ側操作傾斜部６２６を錠側操作傾斜部６９０に当接させる。この状態では、錠操作部６２５が錠本体６８に嵌め込まれ、当該錠操作部６２５と室外側つまみ６２１の下端部分が室外面部６１２および可動桟本体５４１を挟む状態となるため、作業者が室外側つまみ６２１から手を離しても、室外側つまみ６２１が落下することがない。
【００３７】
この後、作業者は、図１０に示すように、係合突部６２７を室内中間孔５４５および室内側つまみ用孔６１６に挿入して、係合凹部６２４に係合させて室内側つまみ６２２を室外側つまみ６２１に固定する。そして、位置決め突部６３５を室内端側孔５４６内に位置させてビス６３０を雌ねじ部６１７に螺合することで、可動連動部材６３を連動レール６１に固定する。また、同様にして、連動レール６１の下端側にも可動連動部材６３を固定する。
その後、連動レール６１は、位置決め突部６３５の下端が室内端側孔５４６の下端に当接するまで、自重によって下降する。また、つまみ部６２（室外側つまみ６２１および室内側つまみ６２２）は、棒状部６２３および係合突部６２７が室外側つまみ用孔６１５および室内側つまみ用孔６１６の下端に当接するまで、自重により下降する。
上述の作業の後、あるいは作業の前に、固定連動部材６４を外側障子４に取り付けることによって、連動機構６０の組み立てが完了する。
【００３８】
次に、外側障子４およびロール網戸５の開閉操作方法について説明する。
まず、可動連動部材６３を非連動位置から連動位置に移動させて、外側障子４とロール網戸５とを連動させる際の操作方法について説明する。
可動連動部材６３が非連動位置にある状態では、図１１に示すように、錠付勢ばね６５０の付勢力により錠本体６８が錠ケース６６から突出して室外中間孔５４４内に係合し、錠本体６８の室外面部６８３の下端が室外中間孔５４４の下端と接触している。この室外面部６８３の下端と室外中間孔５４４の下端との接触により、連動レール６１の自重による可動桟５４に対する下降が規制される（以下、室外面部６８３の下端と室外中間孔５４４の下端との接触により、可動桟５４に対する連動レール６１の下降が規制されている状態を、「ロック状態」と言う）。
また、このとき、連結部６６４と飛び出し防止部６８８とが接触するため、錠本体６８の突出が規制されて、室外面部６８３が室外側つまみ６２１に接触しない状態が維持される。このため、室外側つまみ６２１と室外面部６８３との間に摩擦力が発生せず、室外側つまみ６２１の操作に支障が生じることがない。
一方、つまみ部６２には自重による力が作用するが、つまみ側操作傾斜部６２６と錠側操作傾斜部６９０との接触、および、錠付勢ばね６５０の弾性力により下方への移動が規制され、係合突部６２７が室内側つまみ用孔６１６の上端に接触した状態で位置決めされる。すなわち、つまみ部６２は、可動桟５４および連動レール６１に対して下方にスライド可能な状態で位置決めされる。
【００３９】
この後、利用者がつまみ部６２を下方にスライドさせると、ロック状態の連動レール６１に収容されている錠本体６８内に錠操作部６２５が進入し、つまみ側操作傾斜部６２６と錠側操作傾斜部６９０とが摺接しつつ錠操作部６２５が下方に移動する。この錠操作部６２５の下方への移動に伴い、図１２に示すように、錠本体６８が錠付勢ばね６５０の付勢力に抗して錠ケース６６内に移動して、室外面部６８３全体が錠ケース６６内に収容される。そして、室外面部６８３の下端が室外中間孔５４４の下端から離れて、可動桟５４に対する連動レール６１の下降の規制が解除される（以下、室外面部６８３の下端と室外中間孔５４４の下端との接触の解除により、可動桟５４に対する連動レール６１の下降規制が規制されている状態を、「ロック解除状態」と言う）。
【００４０】
このロック解除状態から、利用者がさらにつまみ部６２を下方にスライドさせると、係合突部６２７が室内側つまみ用孔６１６の下端に接触し、つまみ部６２の移動に伴い連動レール６１も下方に移動する。
この後、図１３に示すように、棒状部６２３および係合突部６２７の下端が室外中間孔５４４および室内中間孔５４５の下端に接触すると、つまみ部６２の下方へのスライドが規制される。このつまみ部６２のスライドが規制された後において、連動レール６１は、ロック解除状態のため、自重により可動桟５４に対してさらに下方に移動する。そして、図１４に示すように、可動連動部材６３の位置決め突部６３５の下端が室内端側孔５４６の下端に接触すると、連動レール６１の下方への移動が規制され、可動連動部材６３が固定連動部材６４の移動軌跡上の連動位置への移動が完了する。
【００４１】
例えば、図２に示すように、外側障子４が閉じられ、かつ、ロール網戸５が開かれている状態において、すなわち、室外から見て固定連動部材６４が可動連動部材６３よりも右側にある状態において、可動連動部材６３が非連動位置から連動位置に移動した後に外側障子４を開く（図２における左側に移動させる）と、固定係合片６４２が可動係合片６３２と係合して、外側障子４に連動してロール網戸５を開くことができる。
【００４２】
また、図１５に二点鎖線で示すように外側障子４が開かれ、かつ、実線で示すようにロール網戸５も開かれている状態において、可動連動部材６３が非連動位置から連動位置に移動した後に外側障子４を閉じる（図１５における右側に移動させる）と、固定連動部材６４が可動連動部材６３に左側から接触する。このとき、固定連動部材６４の固定傾斜面部６４４と可動連動部材６３の可動傾斜面部６３４とが略面接触し、さらに外側障子４を閉じると固定傾斜面部６４４が可動傾斜面部６３４に摺動して可動桟５４が室外側にずれる。そして、固定連動部材６４が可動連動部材６３よりも右側に到達すると可動桟５４がずれる前の状態に戻り、実線で示すように可動係合片６３２と固定係合片６４２とが係合可能な状態となる。
この状態から外側障子４を開けば（図１５における左側に移動させれば）、ロール網戸５を連動して閉じることができる。
【００４３】
次に、可動連動部材６３を連動位置から非連動位置に移動させて、外側障子４とロール網戸５とを連動させない際の操作方法について説明する。
図１４に示すように、可動連動部材６３が連動位置にある状態から利用者がつまみ部６２を上方にスライドさせると、係合突部６２７が室内側つまみ用孔６１６の上端に接触するまでは、つまみ部６２のみが移動して連動レール６１は移動しない。この後、係合突部６２７が室内側つまみ用孔６１６の上端に接触した後、さらにつまみ部６２を上方にスライドさせると、連動レール６１も上方に移動する。そして、室外面部６８３の下端が室外中間孔５４４の下端と同じ高さとなるまで連動レール６１が移動すると、錠付勢ばね６５０の付勢力によって錠本体６８が錠ケース６６から突出して室外中間孔５４４内に進入し、図１１に示すようなロック状態となり、可動連動部材６３の非連動位置への移動が完了する。
【００４４】
本実施形態によれば、以下の効果が得られる。
（１）つまみ部６２をスライドさせることで、可動連動部材６３を固定連動部材６４の移動軌跡上の連動位置（可動連動部材６３が固定連動部材６４と接触可能な連動位置）と、固定連動部材６４の移動軌跡から外れた非連動位置（可動連動部材６３が固定連動部材６４と接触不可能な非連動位置）とに移動させることができるように構成している。
このため、つまみ部６２を操作するだけの簡単な方法で、外側障子４とロール網戸５とを連動させることができる。また、可動桟５４および外側障子４の上下方向中央を挟んだ上側および下側に可動連動部材６３および固定連動部材６４をそれぞれ設けているため、外側障子４とロール網戸５とが連動してスライドするときに、可動桟５４の上側と下側とが固定連動部材６４によってほぼ同じ力で押されることとなり、可動桟５４が傾いてしまうことを抑制できる。
【００４５】
（２）可動桟５４内に昇降可能に設けられた連動レール６１に、可動連動部材６３を固定している。
このため、連動レール６１を昇降させるだけの簡単な構成で、可動連動部材６３を連動位置と非連動位置との間で移動させることができる。
【００４６】
（３）連動機構６０に、連動レール６１から突出して可動桟５４の室外中間孔５４４に係合可能に構成された錠本体６８と、室内側つまみ６２２の操作に応じて錠本体６８を室外中間孔５４４に係合する位置と係合しない位置との間で移動させる錠操作部６５とを設けている。
このため、室内側つまみ６２２の操作に応じて、錠本体６８を室外中間孔５４４に係合させることで、可動連動部材６３を非連動位置に位置決めすることができる。したがって、連動レール６１の自重により下がってしまい、可動連動部材６３が非連動位置から動いてしまうことを防止できる。
【００４７】
（４）可動桟５４における室外側と室内側とに、室外側つまみ６２１と室内側つまみ６２２とをそれぞれ設けている。
このため、室内側および室内側の両方から外側障子４とロール網戸５とを連動させる操作を行うことができ、引違い窓１の利便性を向上できる。
【００４８】
（５）室外から見て可動連動部材６３の右側に可動係合片６３２を設けるとともに固定連動部材６４の左側に固定係合片６４２を設け、可動係合片６３２と固定係合片６４２とを係合可能な構成としている。このため、外側障子４とロール網戸５との連動時に可動連動部材６３と固定連動部材６４とを単に面接触させる場合と比べて、可動連動部材６３と固定連動部材６４との接触状態が解除される可能性を低減でき、スライド中に可動桟５４が見込み方向に若干ずれることができるように設けられていても、外側障子４とロール網戸５とを適切に連動させることができる。
また、室外から見て可動連動部材６３の左側に右側に傾斜する可動傾斜面部６３４を設けるとともに、固定連動部材６４の右側に左側に傾斜する固定傾斜面部６４４を設けている。このため、外側障子４およびロール網戸５の両方が開いている状態であり、かつ、可動連動部材６３が連動位置にある状態において、間違って外側障子４が閉じられた場合でも、可動連動部材６３の可動傾斜面部６３４が固定傾斜面部６４４に接触して摺動するため、この接触時の衝撃を緩和できる。したがって、可動連動部材６３や固定連動部材６４の破損あるいは落下を抑制できる。
【００４９】
（６）外側障子４およびロール網戸５の両方が開いている状態であり、かつ、可動連動部材６３が連動位置にある状態において、外側障子４を閉じた場合には、固定連動部材６４の固定傾斜面部６４４を可動連動部材６３の可動傾斜面部６３４に摺動させるとともに、可動桟５４を室外側にずらすことで、可動連動部材６３を非連動位置に戻さなくても、固定連動部材６４を可動連動部材６３の右側に移動させて外側障子４とロール網戸５とを連動させることができる。
【００５０】
なお、本発明は、前記実施形態に限定されるものではなく、本発明の目的を達成できる他の構成等を含み、以下に示すような変形等も本発明に含まれる。
例えば、３個以上の可動連動部材６３および固定連動部材６４を１つのつまみ部６２で操作する構成としてもよい。また、２個以上の可動連動部材６３を１個のつまみ部６２で操作する構成を、二組以上設けてもよい。
また、操作部材としては、回転操作されるものであってもよいし、可動連動部材としては、錠本体６８と同様に可動桟５４から突没自在に設けられるものであってもよい。
さらに、可動桟５４に固定連動部材６４を設けて、外側障子４の右側の縦框４１に連動レール６１、つまみ部６２、可動連動部材６３、連動錠６５、室外中間孔５４４、室内中間孔５４５、室内端側孔５４６などを設けてもよい。
【００５１】
また、可動係合片６３２または固定係合片６４２のうち一方を他方の形状に対応する凹状に形成して、可動係合片６３２と固定係合片６４２とを係合させる構成としてもよい。
また、例えば固定連動部材６４の右側に固定傾斜面部６４４を設けずに平行面部６４３と直交する見込み面を設けてもよい。すなわち、固定連動部材６４の右側に角部を設けてもよい。この場合でも、この固定連動部材６４の角部が可動傾斜面部６３４に接触したときの衝撃を緩和できる上、この角部を可動傾斜面部６３４に摺動させることができる。
【００５２】
また、左右に開閉自在な横引きのロール網戸５を例示したが、上下に開閉可能な縦引きのものでもよいし、上下左右以外の方向に開閉可能なものであってもよい。また、ロール網戸５は、窓枠２における室内側の見付け面に設けられてもよい。
【００５３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００５４】
１…引違い窓（建具）、２…窓枠（枠体）、４…外側障子（面材）、５…ロール網戸（スクリーン装置）、４０…パネル、４１…縦框、５１…ネット（スクリーン）、５４…可動桟、６０…連動機構、６１…連動レール（可動連動部材移動手段）、６８…錠本体（スライド規制部）、６２１，６２２…室外側，室内側つまみ（操作部材）、６２５…錠操作部（スライド規制制御部）、６３…可動連動部材、６４…固定連動部材、５４４…室外中間孔（被係合部）、６３２…可動係合片（接触部）、６３４…可動傾斜面部（傾斜面部）、６４２…固定係合片（接触部）、６４４…固定傾斜面部（傾斜面部）。
【図１】
0005827156.tif 000002
【図２】
0005827156.tif 000003
【図３】
0005827156.tif 000004
【図４】
0005827156.tif 000005
【図５】
0005827156.tif 000006
【図６】
0005827156.tif 000007
【図７】
0005827156.tif 000008
【図８】
0005827156.tif 000009
【図９】
0005827156.tif 000010
【図１０】
0005827156.tif 000011
【図１１】
0005827156.tif 000012
【図１２】
0005827156.tif 000013
【図１３】
0005827156.tif 000014
【図１４】
0005827156.tif 000015
【図１５】
0005827156.tif 000016